(57)【要約】【課題】正反射させることで繊細な光のグラデーションが出現し、印刷物に光を入射させながら傾けることで、グラデーションが回転して視認されるユニークな視覚効果を有する、真偽判別性に優れ、かつ、生産性に優れた偽造防止用情報担持体を提供する。【解決手段】基材上に印刷領域を有し、該印刷領域は、情報部及び背景部を備え、背景部又は情報部のいずれか一方は、同心円によって構成され、情報部又は背景部のもう一方は、集中線によって構成され、情報部と背景部の境を成す輪郭において、情報部を構成する画線と背景部を構成する画線が６０°から１２０°の角度の範囲で隣接する構成であって、情報部と背景部は、鏡面光沢を有し、盛り上がりを有する画線を形成する潜像印刷物である。【選択図】  図１
2010260183.tif 000002
【特許請求の範囲】
【請求項１】
基材上に、情報領域と、前記情報領域に対して隣接した背景領域から成る印刷領域を有し、観察角度によって画像が変化する潜像印刷物であって、
前記情報領域及び前記背景領域は、鏡面光沢を有する材料から成る凸形状の画線により形成され、
前記情報領域又は前記背景領域のいずれか一方の領域は、共通の円心を有する第１の画線を、前記円心に対して第１のピッチにより複数配列して成り、
前記いずれか一方と異なる領域は、第２の画線を放射状、かつ、第２のピッチにより複数配列して成り、
前記情報領域と前記背景領域の境界部において、前記第２の画線と前記第１の画線を、６０°から１２０°の角度の範囲で隣接して配置したことを特徴とする潜像印刷物。
【請求項２】
前記第１の画線は、円弧状画線、円状画線、楕円弧状画線、楕円状画線の少なくとも一つを組み合わせたことを特徴とする請求項１に記載の潜像印刷物。
【請求項３】
前記第２の画線は、曲線又は直線であることを特徴とする請求項１又は請求項２に記載の潜像印刷物。
【請求項４】
前記直線又は前記曲線は、画線幅が同一又は画線幅が円心から外に向かって連続的に変化することを特徴とする請求項３に記載の潜像印刷物。
【請求項５】
前記第２のピッチは、隣り合う前記第２の画線同士が、前記円心に対して成す角度であることを特徴とする請求項１乃至４のいずれか１項記載の潜像印刷物。
【請求項６】
前記凸形状の画線の高さは、３μｍ以上１５０μｍ以下であることを特徴とする請求項１乃至５のいずれか１項記載の潜像印刷物。
【請求項７】
前記印刷領域は、前記第１の画線の画線幅及び前記第２の画線の画線幅の画線面積率の差により形成された第１の模様領域を有することを特徴とする請求項１乃至６のいずれか１項記載の潜像印刷物。
【請求項８】
前記印刷領域は、第３の画線を第１の方向、かつ、第３のピッチにより複数配列して形成された第２の模様領域を有し、
前記第２の模様領域は、前記情報領域と前記背景領域の境界部において、前記第３の画線を前記第２の画線及び前記第１の画線に対して隣接して配置したことを特徴とする請求項１乃至７のいずれか１項記載の潜像印刷物。
【請求項９】
前記鏡面光沢を有する材料は、虹彩色パール顔料、鱗片状マイカ顔料、鱗片状金属顔料、ガラスフレーク顔料、コレステリック液晶顔料を少なくとも一つを含むことを特徴とする請求項１乃至８のいずれか１項記載の潜像印刷物。
【発明の詳細な説明】
【技術分野】
【０００１】
本発明は、基材上に鏡面光沢材料を含むインキを使用した凸構造の画線等から成る二つの画像を形成し、光が入射することで美しい光のグラデーションを伴った潜像画像を出現することができる潜像印刷物に関するものである。
【背景技術】
【０００２】
近年、セキュリティを要する貴重印刷物等には、新しい意匠性を持ち、かつ、偽造防止効果の高い偽造防止要素及び印刷技術が望まれている。
【０００３】
例えば、意匠性及び偽造防止効果を有する技術としては、観察角度により画像が変化するホログラム等の光学的なセキュリティ要素又は光学的な機能を有するインキを使用したものが存在する。
【０００４】
その一例として、本出願人は、平面配向性パール顔料を用いた盛り上がりのある画線を形成し、背景情報領域とメッセージ情報領域で画線角度を異なる構成とすることによって、斜めから観察した場合にのみ、メッセージ情報領域がポジからネガへ変化して出現する効果を有する潜像印刷物に関わる発明を出願している（例えば、特許文献１、特許文献２参照）。
【０００５】
また、本願出願人は、特定画像を分割し、分割された領域を盛り上がりのある万線画線で構成し、更に各分割された領域を形成する万線画線の配列方向を徐々に異ならせ、光沢インキを用いて印刷することによって、基材に対して垂直方向から徐々に水平方向に観察すると特定画像の色彩又は明暗が連続的に変化する偽造防止技術について出願している（例えば、特許文献３参照）。
【０００６】
特許文献１及び特許文献２で開示された潜像印刷物は、基材の表面に盛り上がりのある画線構造によって、背景画像とメッセージ画像が形成され、かつ、背景画像の画線パターンとメッセージ画像の画線パターンは、異なる角度で形成されるために、拡散反射光が支配的な角度領域においては、メッセージ画像を肉眼でほとんど視認することができず、拡散反射光から正反射光が支配的な角度領域に変化するに従って、盛り上がりを有する背景画像とメッセージ画像が入射光に対して、それぞれ異なった光の反射を成す構造となることからメッセージ画像をネガ画像又はポジ画像として視認することができる効果を有する。
【０００７】
また、特許文献３で開示された偽造防止印刷物は、垂直方向から徐々に水平方向に観察した場合に、特定画像中の分割された各領域の画線角度が異なるために、最も強く光る領域が印刷物の傾きによって、連続的に変化するという、躍動感溢れる動画的な視覚効果を有する。
【先行技術文献】
【特許文献】
【０００８】
【特許文献１】特許第３７１８７１２号公報
【特許文献２】再公表特許Ｗ０２００３／０１３８７１号公報
【特許文献３】特開２００５−４１０８４号公報
【発明の概要】
【発明が解決しようとする課題】
【０００９】
特許文献１及び特許文献２記載の潜像印刷物は、斜めから観察した場合にメッセージ部が光の入射角度に応じてネガ画像からポジ画像、又はポジ画像からネガ画像に変化して出現するものの、背景画像とメッセージ画像を形成する画像パターンの画線角度における中間の角度の光が入射した場合（具体的には背景画像を形成する画像パターンの画線角度が９０°で、かつ、メッセージ画像を形成する画像パターンの画線角度が０°の場合には４５°の角度からの光が入射した場合）には、背景画像とメッセージ画像が同じ色彩となり、メッセージ画像全体が完全に消失することにより認証性に欠けるという問題があった。
【００１０】
特許文献３に記載の偽造防止印刷物は、動画的な視覚効果を有し、特許文献１や特許文献２に記載の技術と比較して、色彩又は濃淡変化に優れるという特徴を有するものの、各領域間の画線角度の差が特許文献１や特許文献２に記載の技術と比較して小さくなるために、隣り合う領域同士のコントラストが大きく低下するという問題があった。また、通常のオフィスのように多数の照明に照らし出される環境下においては、各領域が混ざり合って出現してしまう場合が多く、コントラスト低下の問題と合わせて、潜像画像の視認性にかけるという問題があった。
【００１１】
本発明は、上記課題の解決を目的とするものであり、鏡面光沢を含有するインキを使用し、基材に凸状の画線により背景領域と情報領域で形成することで、美しいグラデーションを有する潜像画像を認証することが可能であり、コントラストが明瞭な潜像印刷物を提供することを目的とする。
【課題を解決するための手段】
【００１２】
本発明の潜像印刷物は、基材上に、情報領域と、情報領域に対して隣接した背景領域から成る印刷領域を有し、観察角度によって画像が変化する潜像印刷物であって、情報領域及び背景領域は、鏡面光沢を有する材料から成る凸形状の画線により形成され、情報領域又は背景領域のいずれか一方の領域は、共通の円心を有する第１の画線を、円心に対して第１のピッチにより複数配列して成り、いずれか一方と異なる領域は、第２の画線を放射状、かつ、第２のピッチにより複数配列して成り、情報領域と背景領域の境界部において、第２の画線と第１の画線を、６０°から１２０°の角度の範囲で隣接して配置したことを特徴とする潜像印刷物である。
【００１３】
本発明の潜像印刷物は、第１の画線が、円弧状画線、円状画線、楕円弧状画線及び楕円状画線の少なくとも一つを組み合わせたことを特徴とする潜像印刷物である。
【００１４】
本発明の潜像印刷物は、第２の画線が、曲線又は直線であることを特徴とする潜像印刷物である。
【００１５】
本発明の潜像印刷物における直線又は曲線は、画線幅が同一な直線又は曲線又は画線幅が円心から外に向かって連続的に変化する直線又は曲線であることを特徴とする潜像印刷物である。
【００１６】
本発明潜像印刷物における第２のピッチは、隣り合う前記第２の画線同士が、円心に対して成す角度であることを特徴とする潜像印刷物である。
【００１７】
本発明の潜像印刷物は、凸形状の画線の高さが３μｍ以上１５０μｍ以下であることを特徴とする潜像印刷物である。
【００１８】
本発明の潜像印刷物は、印刷領域が、第１の画線の画線幅及び第２の画線の画線幅の画線面積率の差により形成された第１の模様領域を有することを特徴とする潜像印刷物である。
【００１９】
本発明の潜像印刷物は、印刷領域が第３の画線を第１の方向で、かつ、第３のピッチにより複数配列して形成された直線により、第２の模様領域を有することを特徴とする潜像印刷物である。
【００２０】
本発明の潜像印刷物は、鏡面光沢を有する材料が、虹彩色パール顔料、鱗片状マイカ顔料、鱗片状金属顔料、ガラスフレーク顔料又はコレステリック液晶顔料から選択される少なくとも一つを含むことを特徴とする潜像印刷物である。
【発明の効果】
【００２１】
本発明における潜像印刷物は、背景画像と潜像画像を形成する画像パターンの画線角度における中間の角度の光が入射した場合に、潜像画像が消失しないため、認証性の良好な印刷物を提供することができる。
【００２２】
また、本発明における潜像印刷物は、隣り合う領域同士のコントラストが低下せず、潜像画像のコントラストの明瞭な印刷物を提供することができる。
【図面の簡単な説明】
【００２３】
【図１】本発明の潜像印刷物１の平面図。
【図２】本発明の潜像印刷物１の情報領域を示す平面図。
【図３】本発明の潜像印刷物１の背景領域を示す平面図。
【図４】本発明の潜像印刷物１の情報領域と背景領域の境界を示す平面図。
【図５】本発明の潜像印刷物１の情報領域と背景領域の境界を示す立体図。
【図６】本発明の潜像印刷物の一例を示す平面図。
【図７】本発明の潜像印刷物の一例を示す平面図。
【図８】本発明の潜像印刷物１におけるグラデーション効果の原理を示す平面図。
【図９】本発明の潜像印刷物１における視認効果の原理を示す平面図。
【図１０】本発明の潜像印刷物１の観察図。
【図１１】本発明の潜像印刷物１’を示す平面図。
【図１２】本発明の潜像印刷物１’の情報領域を示す平面図。
【図１３】本発明の潜像印刷物１’の背景領域を示す平面図。
【図１４】本発明の潜像印刷物１’の観察図。
【図１５】本発明の潜像印刷物１’’を示す平面図。
【図１６】本発明の潜像印刷物１’’の情報領域を示す平面図。
【図１７】本発明の潜像印刷物１’’の背景領域を示す平面図。
【図１８】本発明の潜像印刷物１’’の観察図。
【発明を実施するための形態】
【００２４】
本発明を実施するための形態について図面を参照して説明する。しかしながら、本発明は、以下に述べる実施するための形態に限定されるものではなく、特許請求の範囲記載における技術的思想の範囲内であれば、その他の色々な実施の形態が含まれる。
【００２５】
図１（ａ）は、本発明における潜像印刷物（１）の一例である。図１（ａ）に示すように、潜像印刷物（１）は、基材（２）上に印刷領域（３）を有している。印刷領域（３）は、鏡面光沢を含有するインキにより形成された凸形状の第１の画線から成る図１（ｂ）に示す情報領域（４）と、鏡面光沢を含有するインキにより形成された凸形状の第２の画線から成る図１（ｃ）に示す背景領域（５）から成る。また、情報領域（４）を形成する第１の画線と背景領域（５）を形成する第２の画線は、情報領域と背景領域の境界部において隣接して配置される。なお、情報領域（４）の周囲と背景領域（５）の内部が空白なのは、説明の便宜を図るためである。
【００２６】
図２は、情報領域（４）を説明するための図である。本例における情報領域（４）は、図２（ａ）に示すように、凸形状で、かつ、同一の円心（Ｑ）を有する第１の画線（Ａ１）を第１のピッチ（Ｐ１）により複数配列して「桜」の画像を形成している。第１の画線（Ａ１）は、図２（ｂ）に示すように、同一の円心（Ｑ）を有する、凸形状、かつ、画線幅（Ｔ１）の円状画線と円弧状画線を使用した。第１の画線（Ａ１）は、円状画線と当該円状画線と円心が同一の円弧状画線であれば特に限定されず、楕円状の画線を使用することができる。凸形状の画線の高さは、３μｍ以上１５０μｍ以下である。
【００２７】
このように高さに制限が生じる理由は、高さが３μｍ未満の場合、画線角度の違う画線であっても画線の高さが低すぎるために、均一な反射しか生じず、本発明において必須である画線角度に応じた光の濃淡が発生しないためである。一方、高さが１５０μｍを越した場合は、本発明の効果自体は生じるものの、凹版印刷やスクリーン印刷等の盛り上がりを形成できる印刷方式を用いたとしても容易に形成できる画線高さの限界であり、かつ、これ以上の高さに形成できたとしても印刷物の積載や流通適性等を考慮すると現実的ではないからである。また、画線幅（Ｔ１）は、１０μｍから１０００μｍである。１０μｍ以下の画線を印刷で安定して形成することは困難であり、一方、１０００μｍ以上の画線では構成する画像が粗くなり、デザインに著しい制限が生じるからであるからである。また、第１のピッチ（Ｐ１）も画線幅（Ｔ１）と同様な理由で１０μｍより大きく１０００μｍ程度までであることが望ましい。
【００２８】
図３は、背景領域（５）を説明するための図である。本例における背景領域（５）は、図３（ａ）に示すように、連続的に画線幅が変化する第２の画線（Ａ２）として、基材（２）に対して凸形状の連続的に画線幅（Ｔ２）が変化する第２の画線（Ａ２）を、円心（Ｑ）から放射状で、かつ、第２のピッチ（θ２）により複数配列して形成される。第２の画線（Ａ２）は、図３（ｂ）に示すように、直線を円心（Ｑ）から放射状で、かつ、第２のピッチ（θ２）の間隔として複数配置して形成される。なお、点線部は、説明の便宜上設けたものであり、実際に存在するものではない。第２の画線（Ａ２）は、放射状画線であれば特に限定されず、曲線又は直線を使用することができる。また、画素又は網点により直線状の画線又は曲線状の画線により形成することができる。本形態において、円心（Ｑ）を中心とする放射状画線を使用しているが、放射状画線であれば特に限定されず、円心（Ｑ）からわずかにずれた位置を中心とする放射状の画線も使用することができる。なお、円心（Ｑ）からわずかにずれた位置を中心とした例については、後述する。また、第２のピッチとは、隣り合う第２の画線同士が、円心に対して成す角度であり、画線幅（Ｔ２）及び第２のピッチ（θ２）は、情報領域（４）の構成により決定される。
【００２９】
本例において、画線幅（Ｔ２）は、外周方向に連続的に太くなるように形成しているが、画線幅（Ｔ２）が同一な画線を使用することもできる。外周方向に連続的に太くなるように形成するのは、外周方向と円心付近の画線同士の間隔を同一にするためであり、背景領域（５）全体の濃度を均一に保つためである。このように背景領域（５）の濃度を均一に保たなければならない理由は、基材と異なる色を有する画線によって形成する場合に、拡散反射光下で観察される画像に背景領域（５）の濃淡が反映されることを防ぐためである。逆に、光彩色パールインキ等で透明な画線を形成する場合には、同一の画線幅で形成しても何ら問題ない。凸形状の画線の高さは、情報領域を形成する画線と同一のインキと同一の版面を用いた単一工程又は略同色のインキを使用して、髪の毛１本の隙間なく見当合わせする、いわゆる毛抜き合わせにより形成することから、同一又は略同一の高さである。また、本形態は、情報領域（４）を円形画線により形成し、周囲の背景領域（５）を放射状画線により形成しているが、情報領域（４）を放射状画線により形成し、周囲の背景領域（５）を円形状画線により形成することもできる。なお、円心（Ｑ）は、説明の便宜上設けたものであり、実際に存在するものではない。
【００３０】
情報領域（４）と背景領域（５）を形成する画線群は、鏡面光沢を有すれば特に限定されず、透明又は有色により形成することができる。鏡面光沢を有する画線を形成するためには、光学的変化顔料を含んでいるインキを使用する。光輝性材料を含むインキは、金インキや銀インキ等のメタリックインキ、パール顔料、鱗片状マイカ、鱗片状金属顔料、ガラスフレーク顔料及びコレステリック液晶顔料等を含むインキであれば良く、パール顔料を含有するインキが特に好ましい。
【００３１】
次に、パール顔料を含有するインキを用いる場合について説明する。パール顔料の粒子の大きさは、使用する印刷方式に応じて選択するものであるが、１μｍ〜５０μｍであり、好ましいのは、平均粒径は５〜１５μｍ程度である。また、使用するパール顔料の鱗片状顔料の配向性（リーフィング効果）を向上させるためには、印刷時に１０μｍ〜１５０μｍの盛り上がりを有する画像の表面で顔料が配向するような処理を施すことが好ましい。具体的には、例えば、特開２００１−１０６９３７号公報に記載されたような撥水及び撥油性処理等の顔料の表面処理を行うことで、印刷部の画線表面で顔料を配向させることができ、正反射光によるパールの干渉色をより鮮やかに出現させることが可能となる。
【００３２】
また、情報領域（４）と背景領域（５）を形成する凸状の画線は、３μｍ〜１５０μｍの盛り上がりのある画線を形成し、かつ、粒径の大きな鏡面光沢を有する材料を使用する必要があるため、フレキソ印刷方式、グラビア印刷方式、スクリーン印刷方式又は凹版印刷方式を用いることにより形成する。なお、特に好ましいのは、形成する画線の高さの自由度や使用するパール顔料の粒径の許容性から、ＵＶ乾燥型のスクリーン印刷方式である。
【００３３】
次に、潜像印刷物（１）の背景領域（５）及び情報領域（４）の境界部について説明する。図４は、潜像印刷物（１）の背景領域（５）及び情報領域（４）の境界部の拡大図である。情報領域（４）を形成する第１の画線（Ａ１）と背景領域（５）を形成する第２の画線（Ａ２）は、背景領域（５）及び情報領域（４）の境界部において、所定の角度（θ１）を有するように隣接して配置される。所定の角度（θ１）は、６０°以上１２０°以下であり、もっとも好ましいのは９０°である。６０°以下又は１２０°以上の角度では、コントラストが低下して視認性に欠けるからである。なお、９０°の角度がもっとも好ましいのは、前述した角度が、本発明の効果である境界部における高いコントラストを最もよく奏するからである。図５に示すように、潜像印刷物（１）は、背景領域（４）及び情報領域（５）のいずれも凸状の画線群により構成されている。潜像印刷物（１）は、第２の画線（Ａ２）により形成された背景領域（５）と、第１の画線（Ａ１）により形成された情報領域（４）により構成される。なお、本発明における隣接とは、領域の少なくとも一部が接していること又は領域の少なくとも一部が重なり合って接していることである。
【００３４】
次に、図６に示すように、本発明の潜像印刷物（１）の背景領域（５）及び情報領域（４）の各領域の構成例について説明する。図６（ａ）は、第１の画線として楕円状画線を使用して情報領域（４）を形成し、第２の画線として直線による放射状画線を使用して背景領域（５）を構成した例である。図６（ｂ）は、情報領域（４）である桜の各花びらを構成する第２の画線を、直線にわずかな傾きを持たせた放射状画線により構成し、第１の画線として円状画線を使用して背景領域（５）を構成した例である。図６（ｃ）は、桜の各花びらを構成する第２の画線である直線を別々にわずかに湾曲させた曲線による放射状画線で構成した例である。図６（ｂ）と図６（ｃ）に示すように、放射状画線は、円心を中心に放射状に配置された直線に限定されず、曲線又は直線を円心からわずかにずれた位置を中心に放射状に配置したものも含まれる。図６（ｄ）は、第２の画線として直線による放射状画線を使用して情報領域（４）を形成し、第１の画線として円状画線を使用して背景領域（５）を構成し、第１の画線及び第２の画線におけるそれぞれの画線の一部における画線面積率を異ならせることにより第１の模様領域（７）として「日本」の文字を形成し、ベタ文字により装飾的に「National Printing Bureau of Japan」の文字を形成した例である。
【００３５】
次に、図７に示すように、本発明の潜像印刷物（１）の印刷領域（３）に第３の画線を使用して、第２の模様領域を形成した例を説明する。図７（ａ）は、第１の画線として円状画線を使用して情報領域（４）を形成し、第２の画線として直線による放射状画線を使用して背景領域（５）を構成し、拡大図に示すように第３の画線（Ａ３）として直線を使用し、第３のピッチ（Ｔ３）により、第１の方向として平行に複数配列して第２の模様領域（８）を形成した例である。図７（ｂ）は、第１の画線として円状画線を使用して背景領域（５）を形成し、第２の画線として直線による放射状画線を使用して情報領域（４）を構成し、図７（ａ）と同様な構成で第２の模様領域（８）を形成した例である。図７（ｃ）は、第２の画線として直線による放射状画線を使用して情報領域（４）を形成し、第１の画線として円状画線を使用して背景領域（５）を構成し、拡大図に示すように第３の画線（Ａ３）として直線を使用し、第３のピッチ（Ｔ３）により、第１の方向として垂直方向に複数配列して第２の模様領域（８）として「日本」の文字を形成した例である。なお、第１の方向とは、第３の画線が第１の画線及び第２の画線と同一の方向とならない方向のことである。
【００３６】
いずれの例においても、円状画線と直線の組み合わせで構成し、かつ、円状画線と直線が接する境界部の画線が平均して直交に近い関係であるため、本発明の効果である正反射した場合のグラデーション効果及び動画的な画像の変化、並びに境界部における高いコントラストを発現する効果を得ることが可能である。ただし、境界部における両画線の交わり角度が９０°から離れるにしたがって、境界部におけるコントラストが低下し、６０°以下１２０°以上の角度では、コントラストは目視上半分程度低下してしまうことから、円状画線と直線の円心をずらして構成したり、画線や円をわずかに変化させたような画線構成を用いる場合においては、輪郭部における各画線の隣接する角度を６０度〜１２０°の範囲に収まるようにすることが望ましい。また、図６（ｄ）のように、画線幅の差（面積率の差）により画像を形成する場合は、面積率の差異を１０％から３０％程度にする。画線幅の差が大きすぎる場合には、観察角度領域Ｆにおいて「日本」の文字が消失する効果が低くなり、周囲との画線幅の差が小さすぎる場合には、観察角度領域Ｅにおいて「日本」の文字の視認性が低くなるからである。なお、面積率の差とは、第１の画線と第２の画線の一定面積中に占める画線面積の割合の差のことである。
【００３７】
基材（２）は、用紙に限定するものではなく、プラスチックカード等を使用することもできる。また、基材色も白色に限定されるものではない。
【００３８】
次に、本発明の潜像印刷物のグラデーション効果が発揮される原理について、観察者の視点が拡散反射光と正反射光の混在した観察角度領域内にある場合に限定して説明する。なお、この観察角度領域に関する説明は、後記する。
【００３９】
凸形状の画線は、光と直交する（法線を成す）面が最も光を強く反射する。よって、特定の角度の直線を集合させて画線群を形成した場合、その画線群が最も光を反射するのは、画線群と直交する角度から光が入射する場合である。逆に、入射する光の角度と平行になった場合には、画線群の光の反射は最も弱くなる。
【００４０】
例えば、特許文献１及び特許文献２に記載の発明のように、凸形状の直線を用い、角度の異なる二つの画線群を構成して背景領域と情報領域を有する印刷領域を形成する場合は、入射する光によって印刷領域中に光のネガポジの関係が生まれ、背景領域と情報領域にコントラストが生じて潜像画像が出現する。しかし、その潜像画像が出現している瞬間について、背景領域又は情報領域のいずれか一方にのみに着目して考えると、背景領域又は情報領域のそれぞれにおいては、画像全体が均等に光を反射しているにすぎず、極めて単純な反射しか生じていない。よって、単一の角度の直線群により背景領域と情報領域を構成する限り、光のネガポジによる単純な二値画像しか形成できず、当然のことながら、本発明のように光の濃淡が繊細に変化するグラデーションを生じさせることは不可能である。
【００４１】
本発明においては、一つ一つの直線を異なる角度で配置した放射状画線群と、円状画線、円状画線と円心が同一な円弧状の画線、同一の円心を中心に配置した円状画線群及び円弧状画線群から選択される画線を用いて構成する。これらの画線は、その画線構成の特徴上、３６０°のあらゆる画線角度を供えている。よって、あらゆる角度の入射光に対して、入射光と直交して強く光る画線が必ず存在するとともに、入射光と平行となって弱く光る画線も同時に存在する。また、その中間に位置する角度の画線も多数存在することから、より変化に富んで美しい光のグラデーション効果を実現することができる。
【００４２】
加えて、入射光の角度がわずかでも変化した場合には、本潜像印刷物中の最も強く光る画線や弱く光る画線の位置もそれに対応して即座に変化する。よって、放射状画線と円弧状画線及び円状画線によって構成された本潜像印刷物を光に対して傾けながら観察した場合には、光のグラデーションが放射状画線や円弧状画線の円心を中心に回転して視認される、動画的な効果が生じる。
【００４３】
以上のように、円弧状画線及び円状画線と放射状画線は、それぞれを単独で用いたとしても特徴的なグラデーション効果を発揮することが可能であるが、それに加えて、円弧状画線及び円状画線と放射状画線をペアで用いることで、特別な効果を得ることができる。それは、いずれの角度から光が入射したとしても、情報領域と背景領域の接している境界部では、コントラストが損なわれることがないという効果である。以下にその効果を説明する。
【００４４】
図８は、放射状画線により形成した情報領域（４）と、円状画線により形成した背景領域（５）により構成した領域を示す。放射状画線と円状画線が鏡面光沢を有する凸形状の画線であると仮定すると、光源（Ｋ１）から水平な光（Ｌ１）が情報領域（４）に入射した場合、情報領域（４）を構成する画線の中で最も強く光を反射するのは、Ｃｖ−Ｃｖ’周辺の画線であり、最も光の反射が弱いのは、Ｃｈ−Ｃｈ’周辺の画線となる。また、光源（Ｋ１）から水平な光（Ｌ１）が背景領域（５）に入射した場合、背景領域（５）を構成する部分のうち、最も強く光を反射するのは、Ｄh−Ｄh’周辺の画線であり、最も光の反射が弱いのはＤｖ−Ｄｖ’周辺の画線となる。また、光源（Ｋ２）から垂直な光（Ｌ２）が情報領域（４）に入射した場合、情報領域（４）を構成する画線の中で最も強く光を反射するのは、Ｃｈ−Ｃｈ’周辺の画線であり、最も光の反射が弱いのはＣｖ−Ｃｖ’周辺の画線となる。また、光源（Ｋ２）から垂直な光（Ｌ２）が背景領域（５）に入射した場合、背景領域（５）を構成する部分のうち、最も強く光を反射するのは、Ｄｖ−Ｄｖ’周辺の画線であり、最も光の反射が弱いのは、Ｄｈ−Ｄh’周辺の画線となる。
【００４５】
以上のように、一定方向からの入射光に対して、情報領域（４）と背景領域（５）が光を強く反射する位置は、まったく逆となる。水平又は垂直方向の光に限定する現象ではなく、これは、３６０°いずれの角度で光が入射した場合であっても成立する現象である。すなわち、本発明の潜像印刷物のように円状画線と放射状画線をペアで用いて情報領域（５）と背景領域（４）を形成した場合には、あらゆる角度から光が入射した場合でも、情報領域（５）と背景領域（４）が接する境界部は、必ず強い明暗が生じ、高いコントラストで画像が出現することとなる。
【００４６】
ただし、このような現象が生じるのは、背景領域（４）と情報領域（５）が接する境界部において、お互いの画線群同士が直交に近い関係となるためであり、例え、放射状画線と円状画線をペアで用いたとしても、境界部において互いの画線が直交に近い関係を成していなければ、画像のコントラストが低くなってしまう。よって、この関係を維持するためには、それぞれの円心が同じ位置か、近い位置にある放射状画線と円状画線をペアで用いる必要がある。このような条件を満たした場合にのみ、高いコントラストで画像を視認させることが可能となる。この効果は、直交する二つの直線で背景領域（４）と情報領域（５）を形成した場合に、二つの直線の角度における中間の角度で入射する光に対して、コントラストが失われて画像がまったく見えなくなってしまう問題を解消するものであり、上記の構成で画像を形成する限り、いかなる角度で光が入射したとしても画像全体としてコントラストは一定に保つことが可能である。
【００４７】
以上が本発明の潜像印刷物おいて、背景領域（４）と情報領域（５）、それぞれの画像中の最も強く光る領域が美しいグラデーションを伴ってゆるやかに回転する、極めてユニークな動的な視覚効果を発揮する原理であり、情報領域と背景領域が接している境界部ではコントラストが損なわれることがなく、画像の視認性が低下することがない原理である。
【００４８】
続いて、本発明の潜像印刷物が観察角度領域別に視認される画像について説明する。図９は、各観察角度別に本発明の潜像印刷物（１）と、光源（Ｋ３）と観察者の視点（６）の位置関係を表したものである。
【００４９】
特定の角度で光が入射した場合、入射した光と反対側の同じ角度に最も強い正反射光が生じる角度領域が生じる。例えば、−４５°の入射角度で光が入射した場合、受光角度４５°±５°は、正反射光が支配的な観察角度領域となり、入射角度との角度差が大きくなるにしたがって正反射光の割合が低下し、拡散反射光が支配的となる。本明細書においては、受光角度−２０°〜１０°及び８０°〜９０°の拡散反射光が支配的な観察角度領域を「観察角度領域E」、受光角度４５°±５°の正反射光が支配的な観察角度領域を「観察角度領域G」とし、「観察角度領域E」と「観察角度領域G」を除いた拡散反射光と正反射光が混在する観察角度領域を「観察角度領域F」と定義し、それぞれの観察角度領域を模式的に図に示すと図９の通りとなる。
【００５０】
観察者の視点が観察角度領域Ｅにある場合において、本発明の潜像印刷物（１）をメタリックインキのような基材と異なる色を有するインキで画線を形成した場合には、図１０（ａ）に示すように印刷領域（３）の図柄が視認される。また、パールインキのように透明な画線で形成した場合には、図１０（ｂ）に示すように、印刷領域（３）を視認することができず、基材（２）しか見えない。観察者（６）の視点が観察角度領域Fにある場合は、入射する光の角度に応じて図１０（ｃ）や図１０（ｄ）のように情報領域（４）と背景領域（５）の二つの領域によって形成された桜模様が視認される。よって、観察角度領域Fにおいて、背景領域（４）と情報領域（５）は、それぞれ美しいグラデーションを伴いつつ、境界部では、濃淡が反転して視認される。なお、図１０（ｃ）は、水平方向から光が入射した場合、図１０（ｄ）は、垂直方向から光が入射した場合の画像である。観察角度領域Gにおいては、強い入射光によってほぼ画像が消失することとなるが、この観察角度領域Gは極めて狭い領域しか存在しない上に、観察角度領域Fに挟まれているため、観察者の主観としては、図１０（ｃ）や図１０（ｄ）に示したような桜摸用が視認されているように感じる。以上が、本発明の潜像印刷物（１）において観察角度領域別に視認される画像である。
【実施例１】
【００５１】
図１１は、実施例１の潜像印刷物（１’）を示している。本実施例において、図１１に示すように、基材（２’）上に表１に示すUV乾燥型スクリーンインキを用いて凸状画線により印刷領域（３’）を形成した。凸状画線の高さは、およそ１０μmである。印刷領域（３’）は、情報領域（４’）と背景領域（５’）から成り、第２の画線として直線を使用して情報領域（４’）を形成し、第１の画線として円状画線と円弧状画線を使用して背景領域（５’）を形成した。また、拡大図に示すように、第１の画線と第２の画線が、境界部において９０°の角度（θ１’）に隣接するように配置した。
【００５２】
情報領域（４’）は、図１２（ａ）に示すような「桜」模様を、図１２（ｂ）に示すように、画線幅（Ｔ２’）が円心（Ｑ’）において画線幅５０μmの幅から、最外周部にかけて画線幅２００μmと成る、中心からの距離に比例して太くなる直線（Ａ２’）を使用した。第２のピッチ（θ２’）は、円心（Ｑ’）を中心に２°の間隔により複数配置して構成した。
【００５３】
背景領域（５’）は、図１３（ａ）に示すような円形な模様を、図１３（ｂ）に示すように、画線幅（Ｔ１’）が１５０μmの第１の画線（Ａ１’）である円状画線と円弧状画線を、第１のピッチ（Ｐ１’）を３００μmの間隔として複数配置して構成した。
【００５４】
表１に示すインキは、物体色を有さず、金色の干渉色を有する虹彩色パール顔料を含んだ無色透明なインキであり、光が入射することで、金色の干渉色を発する。よって、観察角度領域Ｅでは、完全な無色であり、観察角度領域Ｆ及び観察角度領域Ｇにおいては金色の干渉色を発する。
【００５５】
【表１】
2010260183.tif 000003
【００５６】
本発明の潜像印刷物（１’）は、観察角度領域Eにおいては完全に不可視であり、基材（２’）しか観察できなかった。一方、観察角度領域Ｆの観察においては、図１４（ａ）や図１４（ｂ）のように情報領域（４’）と背景領域（５’）はそれぞれパールの干渉色である金色のグラデーションを伴いつつ、境界部では濃淡が反転して視認されることが確認できた。なお、図１４（ａ）は、水平方向から光が入射した場合、図１４（ｂ）は垂直方向から光が入射した場合の画像である。以上のように画像に入射する光の角度に応じて美しい金色のグラデーションが回転して視認されつつ、視認性の高い潜像が観察される効果が確認できた。
【実施例２】
【００５７】
次に、第１の画線として円状画線と円弧状画線を使用して情報領域を形成し、第２の画線として直線を使用して背景領域を形成した例について説明する。
【００５８】
図１５は、実施例２の潜像印刷物（１’’）を示している。本実施例において、基材（２’’）上にＵＶ乾燥型スクリーンインキである銀色のメタリックインキ（ウォールステンホルム社製  ミラシーン）を用いて凸状画線により印刷領域（３’’）を形成した。当該インキは、銀色のインキであり、観察角度領域Ｅの観察においては、灰色に視認され、観察角度領域Ｆ及び観察角度領域Ｇの観察においては、明度が高い銀色として視認されるインキである。
【００５９】
本実施例において、図１５（ａ）に示すように、基材（２’’）上に凸状画線により印刷領域（３’’）を形成した。凸状画線の高さは、およそ１０μmである。印刷領域（３’’）は、情報領域（４’’）と背景領域（５’’）から成り、第１の画線として円状画線と円弧状画線を使用して情報領域（４’’）を形成し、第２の画線として直線を使用して背景領域（５’’）を形成した。また、拡大図に示すように、第１の画線（Ａ１’’）と第２の画線（Ａ２’’）が、境界部において９０°（θ1’’）の角度に隣接するように配置した。
【００６０】
情報領域（５’’）は、図１６（ａ）に示すように、画線幅（Ｔ１’’）が１００μmの第１の画線（Ａ１’’）である円状画線と円弧状画線を、第１のピッチ（Ｐ１’’）を２００μmの間隔として複数配置して構成した。
【００６１】
背景領域（５’’）は、図１７（ａ）に示すように、画線幅（Ｔ２’’）が円心（Ｑ’’）において画線幅５０μmから最外周部においては画線幅２００μmと成る中心からの距離に比例して太くなる直線を第２の画線（Ａ２’’）とした。第２のピッチ（θ２’’）は、図１７（ｂ）に示すように、円心（Ｑ’’）を中心に２°の間隔により複数配置して構成した。
【００６２】
本発明の潜像印刷物（１’’）は、観察角度領域Eにおいては完全に不可視であり、基材（２’’）しか観察できなかった。一方、観察角度領域Fの観察においては、図１８（ａ）や図１８（ｂ）のように背景領域（４’’）と情報領域（５’’）はそれぞれパールの干渉色である銀色のグラデーションを伴いつつ、境界部では濃淡が反転して視認されることが確認できた。なお、図１８（ａ）は、水平方向から光が入射した場合、図１８（ｂ）は垂直方向から光が入射した場合の画像である。以上のように画像に入射する光の角度に応じて美しい銀色のグラデーションが回転して視認されつつ、視認性の高い潜像が観察される効果が確認できた。
【符号の説明】
【００６３】
１，１’，１’’          潜像印刷物
２，２’，２’’          基材
３，３’，３’’          印刷領域
４，４’，４’’          情報領域
５，５’，５’’          背景領域
６          観察者
７          第１の模様領域
８          第２の模様領域
Ａ１，Ａ１’，Ａ１’’          第１の画線
Ａ２，Ａ２’，Ａ２’’          第２の画線
Ａ３          第３の画線
Ｅ，Ｆ，Ｇ          観察角度
Ｋ１，Ｋ２，Ｋ３          光源
Ｐ１，Ｐ１’，Ｐ１’’          画線ピッチ
Ｑ，Ｑ’，Ｑ’’          円心
Ｔ１，Ｔ１’，Ｔ１’’，Ｔ２，Ｔ２’，Ｔ２’’，Ｔ３          画線幅
θ1，θ1’，θ1’’          隣接角度
θ２，θ２’，θ２’’          第２のピッチ
【図１】
2010260183.tif 000004
【図２】
2010260183.tif 000005
【図３】
2010260183.tif 000006
【図４】
2010260183.tif 000007
【図５】
2010260183.tif 000008
【図６】
2010260183.tif 000009
【図７】
2010260183.tif 000010
【図８】
2010260183.tif 000011
【図９】
2010260183.tif 000012
【図１０】
2010260183.tif 000013
【図１１】
2010260183.tif 000014
【図１２】
2010260183.tif 000015
【図１３】
2010260183.tif 000016
【図１４】
2010260183.tif 000017
【図１５】
2010260183.tif 000018
【図１６】
2010260183.tif 000019
【図１７】
2010260183.tif 000020
【図１８】
2010260183.tif 000021